(57)【要約】【課題】本発明は、短縮状態から延伸状態（または延伸状態から短縮状態）へのセット作業が非常に容易なトイレ用肘掛け装置を提供することを課題とする。【解決手段】枠体２の左右側枠３に肘掛け５を取付けた肘掛け装置１であって、該肘掛け５は、内側に湾曲する弧状下側板７と、該弧状下側板７の上側に該弧状形状に沿って摺動可能に取付けられている弧状上側板８と、該弧状下側板７を支持する脚部９とからなるトイレ用肘掛け装置１を提供する。【選択図】    図１
2005224393.tif 000002
【特許請求の範囲】
【請求項１】
枠体の左右側枠に肘掛けを取付けた肘掛け装置であって、該肘掛けは、内側に湾曲する弧状下側板と、該弧状下側板の上側に該弧状形状に沿って摺動可能に取付けられている弧状上側板と、該弧状下側板を支持する脚部とからなることを特徴とするトイレ用肘掛け装置。
【請求項２】
該弧状上側板には下面に弧状ガイド溝が形成されており、該弧状下側板は該弧状上側板の弧状ガイド溝に摺動可能に嵌着されている請求項１に記載のトイレ用肘掛け装置。
【請求項３】
該弧状上側板の弧状ガイド溝の両側縁下端からは溝内側に向けて係止板が差出されており、該弧状下側板の両側面には該弧状上側板の係止板に係合する溝部または段部が形成されている請求項２に記載のトイレ用肘掛け装置。
【請求項４】
該弧状上側板の先端部にはグリップが取付けられている請求項１〜請求項３に記載のトイレ用肘掛け装置。
【請求項５】
該肘掛けには複数個のボルト孔が縦設された前後一対の脚部が具備され、該枠体の左右側枠には前後一対の嵌合パイプが具備されており、該嵌合パイプに該肘掛けの脚部をそれぞれ上下摺動可能に嵌着して、該複数個のボルト孔のいずれかに該左右側枠の嵌合パイプの外側から係合ボルトを螺着することによって該肘掛けは所望の高さに調節可能とされている請求項１〜請求項４に記載のトイレ用肘掛け装置。
【発明の詳細な説明】
【技術分野】
【０００１】
本発明はトイレ用の肘掛け装置に関する。
【背景技術】
【０００２】
従来、高齢者や身体障害者が腰掛け式の便器を使用する場合に、使用者が腹圧をかけて排泄しやすい前傾姿勢をとるのを楽にするために、また、該便器に着座したり立上がったりするのを容易にするために、左側または右側の手すり部の先端に水平方向および鉛直方向に移動可能な移動支持部を有する手すり装置が提供されている（特許文献１参照）。
【０００３】
【特許文献１】特開２０００−３３３８８５号公報（第３−４頁、第１図）
【発明の開示】
【発明が解決しようとする課題】
【０００４】
しかしながら上記従来の構成では、不使用時の移動支持部を鉛直方向に移動させた後に更に水平方向に移動させて使用時の位置にセットする作業が複雑であり、使用者が便器に着座した状態のままで上記セット作業を行うことが困難であり、したがって使用者は介助者に上記セット作業をしてもらう必要があるという問題があった。
【課題を解決するための手段】
【０００５】
本発明は上記従来の課題を解決するための手段として、枠体(2) の左右側枠(3) に肘掛け(5) を取付けた肘掛け装置(1) であって、該肘掛け(5) は、内側に湾曲する弧状下側板(7) と、該弧状下側板(7) の上側に該弧状形状に沿って摺動可能に取付けられている弧状上側板(8) と、該弧状下側板(7) を支持する脚部(9) とからなるトイレ用肘掛け装置(1) を提供するものである。
該弧状上側板(8) には下面に弧状ガイド溝(13)が形成されており、該弧状下側板(7) は該弧状上側板(8) の弧状ガイド溝(13)に摺動可能に嵌着されていることが望ましい。
また、該弧状上側板(8) の弧状ガイド溝(13)の両側縁下端からは溝内側に向けて係止板(14)が差出されており、該弧状下側板(7) の両側面には該弧状上側板(8) の係止板(14)に係合する溝部(15)または段部(25)が形成されていることが望ましい。
更に、該弧状上側板(8) の先端部にはグリップ(20)が取付けられていることが望ましい。
また更に、該肘掛け(5) には複数個のボルト孔(10)が縦設された前後一対の脚部(9) が具備され、該枠体(2) の左右側枠(3) には前後一対の嵌合パイプ(11)が具備されており、該嵌合パイプ(11)に該肘掛け(5) の脚部(9) をそれぞれ上下摺動可能に嵌着して、該複数個のボルト孔(10)のいずれかに該左右側枠(3) の嵌合パイプ(11)の外側から係合ボルト(12)を螺着することによって該肘掛け(5) は所望の高さに調節可能とされていることが望ましい。
【発明の効果】
【０００６】
本発明のトイレ用肘掛け装置(1) では、内側に湾曲する弧状下側板(7) の上を該弧状形状に沿って弧状上側板(8) を摺動させて肘掛け(5) を伸縮することが出来るため、短縮状態から延伸状態（または延伸状態から短縮状態）へ肘掛け(5) をセットする作業が簡単であり、介助者の手を借りることなく、使用者は便器に着座した状態のままでも上記セット作業を自ら容易に行うことが出来る。
【発明を実施するための最良の形態】
【０００７】
本発明を図１〜図５に示す一実施例によって説明する。
図１に示すように、トイレ用肘掛け装置(1) の枠体(2) は、左右一対の金属製の左右側枠(3) と、該左右側枠(3) に取り付けられるコの字状の金属製の背枠(4) とからなり、該左右側枠(3) には左右一対の肘掛け(5) がそれぞれ取り付けられており、該背枠(4) には背もたれ(6) が取り付けられている。
【０００８】
図２に示すように、該肘掛け(5) は、内側に湾曲する木製の弧状下側板(7) と、該弧状下側板(7) の上側に該弧状形状に沿って摺動可能に取付けられている木製の弧状上側板(8) と、該弧状下側板(7) を支持する前後一対の金属製の脚部(9) とからなり、該前後一対の脚部(9) には複数個のボルト孔(10)がそれぞれ縦設されている。
【０００９】
一方、枠体(2) の左右側枠(3) には前後一対の肘掛け用嵌合パイプ(11)が立設されており、該肘掛け用嵌合パイプ(11)に該肘掛け(5) の脚部(9) をそれぞれ上下摺動可能に嵌着して、該複数個のボルト孔(10)のいずれかに該左右側枠(3) の肘掛け用嵌合パイプ(11)の外側から係合ボルト(12)を螺着することによって該肘掛け(5) は所望の高さに調節可能とされている。
【００１０】
また、該弧状上側板(8) の下面には弧状ガイド溝(13)が形成されており、該弧状ガイド溝(13)の両側縁下端からは該弧状ガイド溝(13)の内側に向けて金属製の係止板(14)が差し出されている。一方、該弧状下側板(7) の側面には該弧状上側板(8) の係止板(14)に係合する溝部(15)が形成されており、該弧状上側板(8) の係止板(14)を該弧状下側板(7) の溝部(15)に係合させた状態で、該弧状下側板(7) は該弧状上側板(8) の弧状ガイド溝(13)に摺動可能に嵌着されている（図３参照）。
【００１１】
更に、該弧状上側板(8) の弧状ガイド溝(13)の中央部分にはストッパー摺動溝(16)が凹設されており、該ストッパー摺動溝(16)の後縁部にはストッパーボルト孔(17)が設けられている。一方、該弧状下側板(7) の先端部には、ストッパーボルト(18)を挿着するためのストッパーボルト挿通孔(19)が貫通して設けられている。
該弧状上側板(8) を最前部に摺動させて肘掛け(5) を延伸させた状態では、該弧状下側板(7) の下側から該ストッパーボルト挿通孔(19)に挿通されたストッパーボルト(18)は該弧状上側板(8) のストッパーボルト孔(17)に螺着される（図４参照）。そして、最前部の弧状上側板(8) を後方に摺動させて肘掛け(5) を短縮させるときには、該弧状上側板(8) のストッパーボルト孔(17)に螺着されているストッパーボルト(18)を緩めて、該ストッパーボルト(18)の先端を該弧状上側板(8) の弧状ガイド溝(13)のストッパー摺動溝(16)内で摺動させる。
【００１２】
また更に、該弧状上側板(8) の先端部にはグリップ(20)が取り付けられており、該グリップ(20)は、該弧状上側板(8) を摺動させるときの手がかりとしたり、排泄時の前傾姿勢をとったときに使用者が手で握ったり、使用者が便器に着座したり便器から立ち上がったりするときに手で握って体を支えたりして使用する。
【００１３】
また、背枠(4) の左右の根端部(23)には複数個のボルト孔（図示せず）が縦設されており、一方、左右一対の左右側枠(3) の後縁部には背枠用嵌合パイプ(21)がそれぞれ立設されている。
そして、該背枠用嵌合パイプ(21)に該背枠(4) の左右の根端部(23)をそれぞれ上下摺動可能に嵌着して、該複数個のボルト孔のいずれかに該左右側枠(3) の背枠用嵌合パイプ(21)の外側から係合ボルト(22)を螺着することによって該背もたれ(6) は所望の高さに調節可能とされている（図１参照）。
【００１４】
上記のようなトイレ用肘掛け装置(1) を使用する場合には、図５に示すように、該トイレ用肘掛け装置(1) を簡易便器(24)の周囲に設置して、肘掛け(5) の弧状下側板(7) 上を該弧状形状に沿って弧状上側板(8) を摺動させて肘掛け(5) を延伸させ、該肘掛け(5) が使用者の前方に突出した状態とする。
そうすると、使用者は排泄中に前方の肘掛け(5) に肘をつくことが出来るので、高齢者や身体障害者などの体力が弱く体のバランスの悪い人であっても、腹圧をかけて排泄しやすい前傾姿勢を楽にとることが出来る。また、この場合、使用者の体は、肘掛け(5) の弧状下側板(7) と弧状上側板(8) および背枠(4) によって周囲を取り囲まれた状態となるため、使用者は大きな安定感やフィット感を得ることが出来る。
【００１５】
本実施例では、肘掛け(5) の弧状下側板(7) が弧状上側板(8) の弧状ガイド溝(13)に摺動可能に嵌着されているので、該弧状上側板(8) が該弧状下側板(7) の弧状形状に沿って摺動しやすくなる。
また、弧状上側板(8) の弧状ガイド溝(13)の係止板(14)が、弧状下側板(7) の溝部(15)に係合しているので、該弧状上側板(8) が該弧状下側板(7) から不意に外れることが防止される。
更に、該弧状上側板(8) の先端部のグリップ(20)は、該弧状上側板(8) を摺動させるときの手がかりとしたり、排泄時の前傾姿勢をとったときに使用者が手で握ったり、使用者が便器に着座したり便器から立ち上がったりするときに手で握って体を支えたりして使用することが出来る。
【００１６】
また本実施例では、左右側枠(3) の肘掛け用嵌合パイプ(11)に肘掛け(5) の脚部(9) を上下摺動可能に嵌着して、複数個のボルト孔(10)のいずれか一つを選択して係合ボルト(12)を螺着することによって、肘掛け(5) の高さを使用者の体型に合わせて調節することが出来る。
更に、左右側枠(3) の背枠用嵌合パイプ(21)に背枠(4) の根端部(23)を上下摺動可能にそれぞれ嵌着して、複数個のボルト孔のいずれか一つを選択して係合ボルト(22)を螺着することによって、背もたれ(6) の高さを使用者の体型に合わせて調節することが出来る。
【００１７】
以上、本発明の実施の形態を実施例により説明したが、本発明の範囲はこれらに限定されるものではなく、請求項に記載された範囲内において目的に応じて変更・変形することが可能である。
例えば、本実施例以外、図６に示すように、該弧状上側板(8) の弧状ガイド溝(13)の両側縁下端からは溝内側に向けて係止板(14)が差出されており、該弧状下側板(7) の側面には該弧状上側板(8) の係止板(14)に係合する段部(25)が形成されていてもよい。この場合、弧状上側板(8) の弧状ガイド溝(13)の係止板(14)が、弧状下側板(7) の段部(25)に係合しているので、該弧状上側板(8) が該弧状下側板(7) から不意に外れることが防止される。
また、本実施例ではトイレ用肘掛け装置(1) を簡易便器(24)の周囲に設置する場合を例示したが、該トイレ用肘掛け装置(1) は例えば洋式便器（図示せず）の周囲に設置してもよい。
【産業上の利用可能性】
【００１８】
本発明は、短縮状態から延伸状態（または延伸状態から短縮状態）へのセット作業が非常に容易なトイレ用肘掛け装置として、産業上利用することが出来る。
【図面の簡単な説明】
【００１９】
【図１】トイレ用肘掛け装置の斜視図である。
【図２】肘掛けの分解斜視図である。
【図３】肘掛けの正断面図である。
【図４】肘掛けの側断面図である。
【図５】トイレ用肘掛け装置の説明平面図である。
【図６】他の実施例の肘掛けの正断面図である。
【符号の説明】
【００２０】
1  トイレ用肘掛け装置
2  枠体
3  左右側枠
5  肘掛け
7  弧状下側板
8  弧状上側板
9  脚部
10  ボルト孔
11  嵌合パイプ
12  係合ボルト
13  弧状ガイド溝
14  係止板
15  溝部
20  グリップ
25  段部
【図１】
2005224393.tif 000003
【図２】
2005224393.tif 000004
【図３】
2005224393.tif 000005
【図４】
2005224393.tif 000006
【図５】
2005224393.tif 000007
【図６】
2005224393.tif 000008